(57)【特許請求の範囲】
【請求項１】
移動通信システムにおける移動局が一の制御チャネルにより待受を実行しているときに待受を実行するための次の制御チャネルとして他の制御チャネルを選択する方法において、
前記一の制御チャネルがホームの通信網に属しているか否かを判定する判定処理と、
この判定処理により一の制御チャネルがホームの通信網に属していると判定したことを条件として、指定された複数の待受候補の制御チャネルのうちローミング先の通信網に属している制御チャネルの受信レベルを測定値から低下するように補正する補正処理と、
前記一の制御チャネルの受信レベルが、前記複数の待受候補の制御チャネルのうちの受信レベルが最大の制御チャネルの受信レベルよりも小さくなり、且つ、それらの受信レベルの差が指定されたゾーン移行レベル差よりも大きくなったことを条件として、その受信レベルが最大の制御チャネルを待受を実行するための次の制御チャネルとして選択する待受選択処理とを順次実行することを特徴とする移動局における制御チャネルの選択方法。
【発明の詳細な説明】
【０００１】
【発明の属する技術分野】
本発明は、移動通信システムにおける移動局が一の制御チャネルにより待受を実行しているときに待受を実行するための次の制御チャネルとして他の制御チャネルを選択する方法に関する。
【０００２】
【発明が解決しようとする課題】
携帯電話システム、自動車電話システムなどの移動通信システムにおいて、携帯電話装置、自動車電話装置などの移動局は、複数の通信事業者の無線基地局を介して通信することを可能とするローミング機能を有している。
【０００３】
この場合、移動局において、マイクロコンピュータを主体としてなる制御回路は、例えば、ホームの通信網に属している制御チャネルにより待受を実行しているときには、そのホームの通信網に属している制御チャネルの受信レベルがローミング先の通信網に属している制御チャネルの受信レベルよりも小さくなり、且つ、それらの受信レベルの差が指定されたゾーン移行レベル差（ΔＬ）よりも大きくなったときに、ホームの通信網に属している制御チャネルによる待受を停止し、ローミング先の通信網に属している制御チャネルによる待受を開始するようになり、つまり、ホームからローミング先にゾーン移行して待受を実行するようになっている。
【０００４】
また、これとは逆に、制御回路は、ローミング先の通信網に属している制御チャネルにより待受を実行しているときには、そのローミング先の通信網に属している制御チャネルの受信レベルがホームの通信網に属している制御チャネルの受信レベルよりも小さくなり、且つ、それらの受信レベルの差が指定されたゾーン移行レベル差（ΔＬ）よりも大きくなったときに、ローミング先の通信網に属している制御チャネルによる待受を停止し、ホームの通信網に属している制御チャネルによる待受を開始するようになり、つまり、ローミング先からホームにゾーン移行して待受を実行するようになっている。
【０００５】
ところが、このようなローミング機能を有している移動局が、ホームの通信網とローミング先の通信網とが交わるような地域に存在する場合には、制御チャネルの受信レベルの微妙な変化により、待受を実行するための制御チャネルがホームとローミング先との間で頻繁に変化することになるので、その結果、位置登録を頻繁に繰返し実行し、消費電力が大きくなるという問題があった。
【０００６】
また、このように位置登録を頻繁に繰返し実行すると、ホームの通信事業者から所定のサービス（例えば、留守番電話サービスなど）が提供されている一方で、ローミング先の通信事業者から上記所定のサービスが提供されていないような状況では、その所定のサービスが受けられたり受けられなくなったりすることになるので、使い勝手に劣るという問題もあった。
【０００７】
本発明は、上記した事情に鑑みてなされたものであり、その目的は、ローミング機能を有する移動局が待受を実行するための制御チャネルを選択するに際して、移動局において消費電力の抑制を図ることができると共に、使い勝手の向上を図ることができる方法を提供することにある。
【０００８】
【課題を解決するための手段】
請求項１記載の移動局における制御チャネルの選択方法によれば、まず、判定処理を実行する。すなわち、一の制御チャネルにより待受を実行しているときに、その一の制御チャネルがホームの通信網に属しているか否かを判定する。
【０００９】
次いで、補正処理を実行する。すなわち、判定処理により一の制御チャネルがホームの通信網に属していると判定したことを条件として、指定された複数の待受候補の制御チャネルのうちローミング先の通信網に属している制御チャネルの受信レベルを測定値から低下するように補正する。
【００１０】
そして、待受選択処理を実行する。すなわち、一の制御チャネルの受信レベルが、複数の待受候補の制御チャネルのうちの受信レベルが最大の制御チャネルの受信レベルよりも小さくなり、且つ、それらの受信レベルの差が指定されたゾーン移行レベル差よりも大きくなったことを条件として、その受信レベルが最大の制御チャネルを待受を実行するための次の制御チャネルとして選択する。
【００１１】
このように、待受を実行している一の制御チャネルがホームの通信網に属しているときには、複数の待受候補の制御チャネルのうちローミング先の通信網に属している制御チャネルの受信レベルを測定値から低下するように補正するので、複数の待受候補の制御チャネルのうち受信レベルが最大の制御チャネルは、ローミング先の通信網に属している制御チャネルではなく、ホームの通信網に属している制御チャネルとなる。
【００１２】
これにより、ホームからローミング先へのゾーン移行がある程度制限されることになるので、従来の方法とは異なって、待受を実行するための制御チャネルがホームとローミング先との間で頻繁に変化することがなくなり、移動局において、位置登録を頻繁に繰返し実行することがなくなり、消費電力の抑制を図ることができる。
【００１３】
また、移動局において、ホームの通信事業者から所定のサービス（例えば、留守番電話サービスなど）が提供されている一方で、ローミング先の通信事業者から上記所定のサービスが提供されていないような状況であっても、上記所定のサービスを長時間にわたって受けることができ、使い勝手の向上を図ることができる。
【００１４】
【発明の実施の形態】
以下、本発明を移動局として携帯電話装置に適用した一実施例について、図面を参照して説明する。
まず、図２は、携帯電話装置の電気的な構成を機能ブロックにして示している。図２において、携帯電話装置１は、マイクロコンピュータを主体としてなる制御回路２を備えており、制御回路２は、送受信部３、データ変換部４、音声処理部５、キー操作検出部６および表示制御部７との間で制御信号を転送することにより、それらを制御するように構成されている。
【００１５】
上記送受信部３は、電波をアンテナ８で捕捉すると、電波に音声情報が格納されているときには、音声情報が格納された受信信号をデータ変換部４に出力するようになっている。データ変換部４は、送受信部３から受信信号が与えられると、その受信信号をデータ変換して受話信号を生成し、受話信号を音声処理部５に出力するようになっている。そして、音声処理部５は、データ変換部４から受話信号が与えられると、その受話信号をスピーカ９を通じて出力するようになっている。
【００１６】
また、音声処理部５は、マイク１０を通じて送話信号を入力すると、送話信号をデータ変換部４に出力するようになっている。データ変換部４は、音声処理部５から送話信号が与えられると、その送話信号をデータ変換して送信信号を生成し、送信信号を送受信部３に出力するようになっている。そして、送受信部３は、データ変換部４から送信信号が与えられると、その送信信号に対応して、音声情報が格納された電波をアンテナ８から放射するようになっている。
【００１７】
キー操作検出部６は、電源キー、通話開始キー、通話終了キー、「０」〜「９」の数字キー、Ｆ（ファンクション）キーなどの各種キーからなるキー操作部１１が操作されると、キー操作部１１からキー操作信号が与えられるようになっており、キー操作信号に応じた制御信号を制御回路２に出力するようになっている。また、表示制御部７は、制御回路２から制御信号が与えられると、その制御信号に応じた表示情報をディスプレイ１２に表示させるようになっている。
【００１８】
上記制御回路２は、所定の格納領域に実行プログラムを格納しており、実行プログラムに記述されたアルゴリズムにしたがって所定の処理を実行するようになっている。ここでは、制御回路２が待受を実行しているときの処理について、図１，図３〜図５を参照して説明する。
【００１９】
尚、この場合、前提として、制御回路２は、周波数番号（周波数コード）が「６」の制御チャネルにより待受を実行しており、その制御チャネルの受信レベルは２０ｄＢμであるとして説明する。また、このとき、後述する周辺の待受候補の制御チャネルとしては、周波数番号が「１」〜「５」の制御チャネルが規定されており（図４参照）、また、ゾーン移行レベル差（ΔＬ）は４ｄＢに規定されているものとして説明する。
【００２０】
さて、制御回路２は、待受を実行しているときに、ゾーン移行を判定するタイミングになると、メインルーチンから抜けて、図３に示す受信レベル補正処理に移行する。
受信レベル補正処理に移行した制御回路２は、まず、待受を実行している制御チャネルがホームの通信網に属しているか否かを判定する（ステップＳ１、本発明でいう判定処理）。ここで、待受を実行している周波数番号が「６」の制御チャネルがホームの通信網に属しているときには、制御回路２は、ステップＳ１において「ＹＥＳ」と判定し、周辺の待受候補の制御チャネルの周波数番号を「１」に初期化し（ステップＳ２）、その周波数番号が「１」の制御チャネルの受信レベルを測定する（ステップＳ３）。そして、制御回路２は、その周波数番号が「１」の制御チャネルがホームの止まり木チャネルであるか否かを判定する（ステップＳ４）。
【００２１】
さて、この場合、図４に示すように、周波数番号が「１」の制御チャネルは、ホームの止まり木チャネルであることから、制御回路２は、ステップＳ４において「ＹＥＳ」と判定し、その周波数番号が「１」の制御チャネルの受信レベルを何ら補正することなく、次の待受候補の制御チャネルが存在するか否かを判定する（ステップＳ５）。そして、この場合、次の待受候補の制御チャネルとして周波数番号が「２」の制御チャネルが存在することから、制御回路２は、ステップＳ５において「ＹＥＳ」と判定し、周波数番号をインクリメントし（ステップＳ６）、上記したステップＳ３に戻る。
【００２２】
次いで、制御回路２は、周波数番号が「２」の制御チャネルについて、これと同様の処理を実行する。この場合、周波数番号が「２」の制御チャネルは、上記した周波数番号が「１」の制御チャネルと同様に、ホームの止まり木チャネルであることから、制御回路２は、その周波数番号が「２」の制御チャネルの受信レベルを何ら補正することなく、再度、上記したステップＳ３に戻る。
【００２３】
次いで、制御回路２は、周波数番号が「３」の制御チャネルについて、これと同様の処理を実行する。この場合、周波数番号が「３」の制御チャネルは、上記した周波数番号が「１」，「２」の制御チャネルとは異なり、ホームの止まり木チャネルではなく、ローミング先の止まり木チャネルであることから、制御回路２は、ステップＳ４において「ＮＯ」と判定し、その周波数番号が「３」の制御チャネルの受信レベルを補正する（ステップＳ７、本発明でいう補正処理）。
【００２４】
さて、このとき、制御回路２は、ローミング先の止まり木チャネルである制御チャネルの受信レベルを補正するに際しては、待受を実行している制御チャネルの受信レベルに応じて、ローミング先の止まり木チャネルである制御チャネルの受信レベルを補正するようになっている。
【００２５】
すなわち、制御回路２は、図５に示すように、待受を実行している制御チャネルの受信レベルが５〜１５ｄＢμの範囲では、補正値として、制御チャネルの受信レベルと比例関係となるように０〜１０ｄＢを規定し、待受を実行している制御チャネルの受信レベルが１５ｄＢμ〜の範囲では、補正値として、１０ｄＢを一律に規定し、測定した測定値から補正値を減算することにより補正する。
【００２６】
この場合であれば、待受を実行している周波数番号が「６」の制御チャネルの受信レベルは２０ｄＢμであるので、制御回路２は、周波数番号が「３」の制御チャネルの受信レベルを補正するに際しては、測定した測定値（２０ｄＢμ）から補正値（１０ｄＢ）を減算し、最終的に１０ｄＢμに補正する。
【００２７】
しかして、これ以降、制御回路２は、待受を実行しているときには、以上に説明した処理を実行することにより、周辺の待受候補の周波数番号が「１」〜「５」の制御チャネルのうちローミング先の止まり木チャネルである周波数番号が「３」，「５」の制御チャネルの受信レベルを補正し、図４に示すようなテーブルを作成する。
【００２８】
さて、ここで、携帯電話装置１がホームの通信網とローミング先の通信網とが交わるような地域に存在し、電波状況が変化すること応じて、ホームの通信網に属している制御チャネルおよびローミング先の通信網に属している制御チャネルの受信レベルが微妙に変化する場合について、図１を参照して考える。
【００２９】
例えば、ホームの通信網に属している制御チャネルにより待受を実行しているときに、時間の経過にしたがって、ホームの通信網に属している制御チャネルの受信レベルが低下し、且つ、ローミング先の通信網に属している制御チャネルの受信レベルが上昇すると（図１中、左側から右側に向かって時間が変化すると）、制御回路２は、ホームの通信網に属している制御チャネルの受信レベルがローミング先の通信網に属している制御チャネルの受信レベルよりも小さくなり、且つ、それらの受信レベルの差がゾーン移行レベル差（ΔＬ）よりも大きくなったときに、ホームの通信網に属している制御チャネルによる待受を停止し、ローミング先の通信網に属している制御チャネルによる待受を開始し、つまり、ホームからローミング先にゾーン移行して待受を実行する（本発明でいう待受選択処理を実行する）。
【００３０】
ここで、このようにホームの通信網に属している制御チャネルにより待受を実行しているときには、従来の方法では、図１中、（ｂ）に示すタイミングによりホームからローミング先にゾーン移行して待受を実行するものであるが、本発明の方法では、上記したように制御回路２が受信レベル補正処理を実行し、ローミング先の通信網に属している制御チャネルの受信レベルを補正しているので、図１中、（ｂ）に示すタイミングではなく、（ｃ）に示すタイミングによりホームからローミング先にゾーン移行して待受を実行するようになる。
【００３１】
一方、ローミング先の通信網に属している制御チャネルにより待受を実行しているときに、時間の経過にしたがって、ローミング先の通信網に属している制御チャネルの受信レベルが低下し、且つ、ホームの通信網に属している制御チャネルの受信レベルが上昇すると（図１中、右側から左側に向かって時間が変化すると）、制御回路２は、ローミング先の通信網に属している制御チャネルの受信レベルがホームの通信網に属している制御チャネルの受信レベルよりも小さくなり、且つ、それらの受信レベルの差がゾーン移行レベル差（ΔＬ）よりも大きくなったときに、ローミング先の通信網に属している制御チャネルによる待受を停止し、ホームの通信網に属している制御チャネルによる待受を開始し、つまり、ローミング先からホームにゾーン移行して待受を実行する。
【００３２】
ここで、このようにローミング先の通信網に属している制御チャネルにより待受を実行しているときには、受信レベル補正処理を実行することがないので、本発明の方法では、従来の方法と同様に、図１中、（ａ）に示すタイミングによりローミング先からホームにゾーン移行して待受を実行するようになる。
尚、以上は、時間の経過にしたがって制御チャネルの受信レベルが変化する場合について説明したものであるが、時間の経過に限らず、位置の変化にしたがって制御チャネルの受信レベルが変化する場合であっても、これと同様である。
【００３３】
このように本実施例によれば、待受を実行している制御チャネルがホームの通信網に属しているときには、周辺の複数の待受候補の制御チャネルのうちローミング先の通信網に属している制御チャネルの受信レベルを測定値から低下するように補正するので、従来の方法とは異なって、ホームからローミング先へのゾーン移行をある程度制限することができ、待受を実行するための制御チャネルがホームとローミング先との間で頻繁に変化することがなくなる。
【００３４】
これにより、携帯電話装置１において、位置登録を頻繁に繰返し実行することがなくなり、消費電力の抑制を図ることができ、また、ホームの通信事業者から所定のサービス（例えば、留守番電話サービスなど）が提供されている一方で、ローミング先の通信事業者から上記所定のサービスが提供されていないような状況であっても、上記所定のサービスを長時間にわたって受けることができ、使い勝手の向上を図ることができる。
【００３５】
本発明は、上記した実施例にのみ限定されるものでなく、次のように変形または拡張することができる。
移動局としては、自動車電話装置などの他のものであっても良い。
ゾーン移行レベル差（ΔＬ）は、４ｄＢに限らず、移動通信システムの形態に応じて無線基地局から指定された任意の値であっても良い。
【図面の簡単な説明】
【図１】本発明の一実施例を示すもので、制御チャネルの受信レベルの変化を示す図
【図２】携帯電話装置の電気的構成を示すブロック図
【図３】制御回路が実行する処理の内容を示すフローチャート
【図４】作用を示す図（その１）
【図５】作用を示す図（その２）
【符号の説明】
図面中、１は携帯電話装置（移動局）、２は制御回路である。
【図１】
0003846069.tif 000002
【図２】
0003846069.tif 000003
【図３】
0003846069.tif 000004
【図４】
0003846069.tif 000005
【図５】
0003846069.tif 000006